(57)【要約】【課題】二重床構造を有する集合住宅において、建物高さを有効に使用することができる建物構造を提供する。【解決手段】床スラブ１１を支持する大梁１４が、床スラブ１１の上面を大梁１４のよりも予め設定した長さｋだけ下方に位置するように支持し、かつ、大梁１４を、上面が予め設定した長さｋだけ床材１２の下面側に近づくように配置するとともに、床スラブ１１と床材１２との間には第１の床支持具２０を配置し、大梁１４と床材１２との間には、第１の床支持具２０の高さよりも予め設定した長さ寸法ｋだけ高さの低い第２の床支持具（短型床支持具）３０を配置することで、集合住宅の１階あたりの高さをｋだけ低くするともに、床材１２の大梁１４側の端部の振動を低減できるようにした。【選択図】図２
2015137449.tif 000002
【特許請求の範囲】
【請求項１】
大梁により支持された基礎床上に防振部材を備えた床支持具を複数個配置し、前記床支持具上に複数の床板から成る床材を配置するとともに、前記床材と壁面との間に所定の隙間を設けて成る二重床構造を有する集合住宅の建物構造であって、
前記大梁は、前記基礎床の上面を当該大梁の上面よりも予め設定した長さだけ下方に位置するように前記基礎床を支持し、かつ、前記大梁は、上面が前記予め設定した長さだけ前記床材の下面側に近づくように配置され、
前記大梁と前記床材との間には、前記床支持具の高さよりも前記予め設定した長さ寸法だけ高さの低い短型床支持具が配置されていることを特徴とする二重床構造を有する集合住宅の建物構造。
【請求項２】
前記短型床支持具が、基礎床上に設置される防振ゴムと、外周面に雄ネジが形成された前記防振ゴムに立設されるネジ部材と、前記ネジ部材が螺入されるネジ穴を有し、前記床材の下面に当接する台座とを備え、
前記台座の前記防振ゴム側には、前記防振ゴムが収納可能な凹部が設けられていることを特徴とする請求項１に記載の二重床構造を有する集合住宅の建物構造。
【発明の詳細な説明】
【技術分野】
【０００１】
本発明は、二重床構造を有する集合住宅の建物構造に関するものである。
【背景技術】
【０００２】
近年、集合住宅の各種建造物においては、基礎床上に防振部材を備えた床支持具を複数個配置し、これらの床支持具上に複数の床板を積層して成る二重床構造が多く採用されている。
このような二重床構造においては、図５に示すように、基礎床である床スラブ１１上にクッション性を有する防振材２０ａを備えた複数の床支持具２０を配置し、これら床支持具２０の上に、台座２０ｃを介して、複数の板を積層して成る床材１２を配置するとともに、床材１２と壁４との間に２ｍｍ程度の空気連通路（隙間）１２ｓを設けることで、床材１２に衝撃が加わった際に発生する振動を低減するようにしている（例えば、特許文献１参照）。
【先行技術文献】
【特許文献】
【０００３】
【特許文献１】特開２０００−１０４３９３号公報
【発明の概要】
【発明が解決しようとする課題】
【０００４】
ところで、集合住宅においては、建物高さを有効に使用することが望まれている。すなわち、建物高さ及び室内高さを変えることなく、階数を増加させることができれば、建物高さを有効に使用することができる。
しかしながら、床スラブの厚さを薄くすることは、強度上好ましくない。
また、床材と床スラブとの間隔を短くすることも考えられるが、床材と床スラブとの間には、排水管などの配管を配置する必要があるので、床材と床スラブとの間隔（床仕上げ高さ）を、現行の間隔（１３０ｍｍ程度）よりも短くすることは困難である。
【０００５】
本発明は、上記問題点に鑑みてなされたもので、二重床構造を有する集合住宅において、建物高さを有効に使用することができる建物構造を提供することを目的とする。
【課題を解決するための手段】
【０００６】
本発明は、大梁により支持された基礎床上に防振部材を備えた床支持具を複数個配置し、前記床支持具上に複数の床板から成る床材を配置するとともに、前記床材と壁面との間に所定の隙間を設けて成る二重床構造を有する集合住宅の建物構造であって、前記大梁は、前記基礎床の上面を当該大梁の上面よりも予め設定した長さだけ下方に位置するように前記基礎床を支持し、かつ、前記大梁は、上面が前記予め設定した長さだけ前記床材の下面側に近づくように配置され、前記大梁と前記床材との間には、前記床支持具の高さよりも前記予め設定した長さ寸法だけ高さの低い短型床支持具が配置されていることを特徴とする。
これにより、建物高さ及び室内高さを変えることなく、集合住宅の１階あたりの高さを予め設定した長さだけ短くできるので、建物高さを有効に使用することができる。
また、大梁と床材との間に短型床支持具を配置することで、大梁側においても床材を確実に床支持具で支持できるようにしたので、遮音性能の低下を防止できる。
【０００７】
また、本発明は、前記短型床支持具が、基礎床上に設置される防振ゴムと、外周面に雄ネジが形成された前記防振ゴムに立設されるネジ部材と、前記ネジ部材が螺入されるネジ穴を有し、前記床材の下面に当接する台座とを備え、前記台座の前記防振ゴム側には、前記防振ゴムが収納可能な凹部が設けられていることを特徴とする。
このような構成の短型床支持具を用いれば、防振部材である防振ゴムの一部が台座中に収納された状態で床材を支持できるので、大梁と床材との間隔が短くても、床材を確実に支持することができる。
【０００８】
なお、前記発明の概要は、本発明の必要な全ての特徴を列挙したものではなく、これらの特徴群のサブコンビネーションもまた、発明となり得る。
【図面の簡単な説明】
【０００９】
【図１】本実施の形態に係る二重床構造を有する集合住宅の建物構造の一例を示す図である。
【図２】本実施の形態に係る二重床の支持構造を示す要部断面図である。
【図３】床支持具の一例を示す図である。
【図４】本発明の建物構造を有する集合住宅を示す図である。
【図５】従来の二重床の支持構造を示す要部断面図である。
【発明を実施するための形態】
【００１０】
図１（ａ），（ｂ）は、二重床構造を有する集合住宅の建物１の一例を示す図で、（ａ）図は平面図、（ｂ）図は（ａ）図のＡ−Ａ断面図である。
本例では、集合住宅の建物１を、複数の住居２が吹抜３の周囲を取り囲む構成とした。同図において、４は各住居２を区切る壁、５は共同廊下、６は住居２毎に設けられるベランダ、７は階段、８はエレベータホール、９ａ〜９ｃはエレベータである。
建物１は、図２にも示すように、基礎床としての床スラブ１１と、住居内の床を構成する床材１２と、床スラブ１１と床材１２との間に複数個配置される、第１及び第２の床支持具２０，３０とから構成される二重床構造１０を有する。第１及び第２の床支持具２０，３０の詳細については、後述する。第１の床支持具２０が従来と同じ長さを有する床支持具で、第２の床支持具３０が、本発明の短型床支持具に相当する、長さが第１の床支持具２０よりも短い床支持具である。
床スラブ１１は、柱１３を支持する大梁１４により支持される。
床材１２は、下地板としてのパーティクルボード１２ａと、補強板としての合板１２ｂと、仕上げ板としてのフローリング１２ｃとを積層して形成される。
また、住居２内には、天井板１５と間仕切り壁１６とが設けられている。
天井板１５は、野縁１７ａ、野縁受け１７ｂ、野縁受け取付金具１７ｃ等の天井支持部材１７を介して、上階の床スラブ１１の下面側に支持される（図２参照）。間仕切り壁１６は、当該住居２をリビング２ａ、洋間２ｂ、洗面所２ｃ、浴室２ｄなど複数の居室に区画する（図１（ａ）参照）。
【００１１】
次に、本発明における二重床構造１０と、第１及び第２の床支持具２０，３０の詳細について説明する。
図２に示すように、本例の大梁１４は、上面が予め設定した長さｋだけ床材１２の下面側に近づくように配置されている。また、大梁１４は、床スラブ１１の上面が、大梁１４の上面よりも上記長さｋと同じだけ下方に位置するように床スラブ１１を支持している。
これにより、上階の床スラブ１１の下面と下階の天井板１５の上面との間隔は、大梁１４の上面と床スラブ１１の上面とが同一平面にある場合の床スラブ１１の下面と天井板１５の上面との間隔Ｄcよりも上記ｋだけ短くなる。
本例では、ｋ＝５０ｍｍとした。また、床材１２の下面と床スラブ１１との間隔をＤaとすると、床材１２と床スラブ１１との間には、排水管などの配管などを配置する空間が必要なので、間隔Ｄaを現行の間隔と同じく、Ｄa＝１３０ｍｍとした。
【００１２】
図５に示すような従来の二重床構造では、大梁１４の上面と床スラブ１１の上面とは同一平面にあるので、床材１２の下面と床スラブ１１の上面との間隔も、床材１２の下面と大梁１４の上面との間隔も、ともにＤaである。これに対して、本例では、床材１２の下面と床スラブ１１の上面との間隔はＤaであるが、床材１２の下面と大梁１４の上面との間隔は（Ｄa−ｋ）と、従来よりも狭くなる。したがって、従来の床支持具（第１の床支持具２０）では、床材１２の大梁１４側の端部を支持できない。
そこで、本例では、床材１２の床スラブ１１の直上にある部分を第１の床支持具２０で支持するとともに、大梁１４側の端部を、短型床支持具である第２の床支持具３０により支持することで、床材１２を支持するようにしている。
【００１３】
第１の床支持具２０は、図３（ａ）に示すように、床スラブ１１上に設置される防振ゴム２１と、防振ゴム２１に立設される支持ボルト２２と、上部(室内側)に床材１２を取付けるための台座２３とを備える。支持ボルト２２の外周面には雄ネジが形成されており、一端が防振ゴム２１に埋設・固定され、他端が台座２３に設けられた貫通孔２３ｈに挿入され、支持ボルト２２にネジ嵌合されるナット２４により、第１の床支持具２０の高さが調整される。第１の床支持具２０の高さは、床材１２の下面と床スラブ１１との間隔Ｄaに等しい。
防振ゴム２１は、例えば、床スラブ１１上に接着剤もしくは両面テープで固定される。
【００１４】
第２の床支持具３０も、図３（ｂ）に示すように、床スラブ１１上に設置される防振ゴム３１と、外周面に雄ネジが形成されて防振ゴム３１に立設される支持ボルト３２と、上部に床材１２を取付けるための台座３３とを備える。
第２の床支持具３０の台座３３は、内周面に支持ボルト３２が螺入されるネジ穴３３ｍが形成されており、支持ボルト３２をネジ穴３３ｍに螺入することで、第２の床支持具３０の高さを調整するように構成されている。
防振ゴム３１も、例えば、床スラブ１１上に接着剤もしくは両面テープで固定される。
また、台座３３の防振ゴム３１側には、防振ゴム３１が収納可能な凹部３３ｎが設けられている。したがって、防振ゴム３１の上部を凹部３３ｎ内に入り込ませれば、第２の床支持具３０の高さを、床材１２の下面と床スラブ１１との間隔Ｄaよりも短くすることができる。本例では、第２の床支持具３０の高さを、大梁１４の上面と床材１２の下面との間隔である（Ｄa−ｋ）とした。ｋ＝５０ｍｍとしても、Ｄa−ｋ＝８０ｍｍなので、凹部３３ｎに防振ゴム３１を全て収納する必要はなく、防振ゴム３１の上部の半分程度が凹部３３ｎ内に収納されていれば、第２の床支持具３０を、床材１２の大梁１４との間に配置することができる。
これにより、床材１２の大梁１４側の端部は、短型床支持具である第２の床支持具３０により弾性支持されるので、端部が自由端である床材１２の振動を確実に低減できる。
なお、本例でも、床材１２と壁４との間に２ｍｍ程度の空気連通路（隙間）１２ｓが設けることで、床材１２からの振動（固体伝播音）が壁４を介して階下に伝達されるのを防止するようにしている。
【００１５】
ここで、床スラブ１１の厚さをＤbとすると、図５に示すような従来の二重床構造では、床材１２の下面と天井板１５との間隔は、Ｄ0＝Ｄa＋Ｄb＋Ｄcとなるが、本発明における二重床構造１０では、床材１２の下面と天井板１５との間隔は、Ｄk＝Ｄa＋Ｄb＋（Ｄc−ｋ）となる。すなわち、本発明における二重床構造１０では、従来の二重床構造に対して、１層につき、高さ方向でｋだけ高さが低いことがわかる。
したがって、本発明の二重床構造１０を有する建物１の高さＨkは、建物の階数をＮとすると、従来の二重床構造を有する集合住宅の高さＨよりも、Ｎ・ｋだけ低くできることがわかる。
逆に、Ｎが大きい場合には、図４に示すように、従来の二重床構造を有する集合住宅の建物５０の高さと本発明の二重床構造１０を有する建物１の高さとが同じであっても、建物１の階数を増やすことができる。
例えば、集合住宅の建物５０の階数をＮ、１階あたりの高さをｈとすると、建物５０の高さはＨ＝Ｎ・ｈであるが、建物１の高さはＨk＝（Ｎ＋１）・（ｈ−ｋ）となる。ここで、Ｈ＝Ｈkとすれば、Ｎ＝（ｈ−ｋ）/ｋとなる。したがって、ｈ＝２ｍ５０ｃｍ、ｋ＝５０ｍｍとした場合には、Ｎ＝５０となる。つまり、５０階の建物なら、本発明の二重床構造１０を採用することで、同じ高さで５１階にできることがわかる。
【００１６】
以上、本発明を実施の形態を用いて説明したが、本発明の技術的範囲は前記実施の形態に記載の範囲には限定されない。前記実施の形態に、多様な変更または改良を加えることが可能であることが当業者にも明らかである。そのような変更または改良を加えた形態も本発明の技術的範囲に含まれ得ることが、特許請求の範囲から明らかである。
【００１７】
例えば、前記実施の形態では、集合住宅の建物１を、複数の住居２が吹抜３の周囲を取り囲む構成としたが、これに限るものではなく、本発明は、二重床構造を有する集合住宅であれば、その形態にかかわらず適用可能である。
また、前記実施の形態においては、床スラブ１１は周縁部にて大梁１４により支持されている形態について説明したが、床スラブが大梁の上部に配置されている形態であっても、床スラブの大梁上に載っている部分についても大梁であると見做せば、本例と同じ形態になる。この場合には、請求項１における大梁の上面とは、大梁上に載っている床スラブの上面で、基礎床の上面とは、床スラブの大梁間にある部分の上面を指すことは明らかである。
また、前記実施の形態では、第１の床支持具２０をナット締めにより高さを調整する形態としたが、第２の床支持具３０と同様に、台座２３にネジ穴を設け、このネジ穴に支持ボルト２２を螺入する形態としてもよい。
【符号の説明】
【００１８】
１  集合住宅の建物、２  住居、３  吹抜、４  壁、５  共同廊下、６  ベランダ、
７  階段、８  エレベータホール、９ａ〜９ｃ  エレベータ、
１０  二重床構造、１１  床スラブ、１２  床材、１２ｓ  空気連通路（隙間）、
１３  柱、１４  大梁、１５  天井板、１６  間仕切り壁、１７  天井支持部材、
２０  第１の床支持具、２１，３１  防振ゴム、２２，３２  支持ボルト、
２３，３３  台座、２３ｈ  貫通孔、２４  ナット、３０  第２の床支持具、
３３ｍ  ネジ穴、３３ｎ  凹部。
【図１】
2015137449.tif 000003
【図２】
2015137449.tif 000004
【図３】
2015137449.tif 000005
【図４】
2015137449.tif 000006
【図５】
2015137449.tif 000007